(57)【要約】【課題】長時間にわたって手回しハンドル機構の鎖錠を確実に行うことができ、近くで作業員が監視している必要のない電気転てつ機の定反位鎖錠器を提供する。【解決手段】電気転てつ機の筐体の上面に設けられた手回しハンドルの挿入穴に挿入可能な回り止めロッド（１４）と、回り止めロッドを保持した状態で筐体の上面に接合される押えプレート（１１）と、押えプレートを筐体に取り付けるための取り付け手段とを備え、筐体内部に設けられている手回しハンドル機構を機械的に定位または反位の状態に固定するための定反位鎖錠器において、前記回り止めロッドの下端には手回しハンドルの軸の下端の嵌合部と同一形状の嵌合部が設けられ、前記押えプレートには回り止めロッドが挿通される挿通口が形成され、前記回り止めロッドの頭部または押えプレートには、挿通口に挿通された回り止めロッドの回動を規制する回動規制手段（１６）を設けるようにした。【選択図】図３
2020117214.tif 000002
【特許請求の範囲】
【請求項１】
電気転てつ機の筐体の上面に設けられた手回しハンドルの挿入穴に挿入可能な回り止めロッドと、
前記回り止めロッドを保持した状態で前記筐体の上面に接合される押えプレートと、
前記押えプレートを前記筐体に取り付けるための取り付け手段と、を備え、電気転てつ機の筐体内部に設けられている手回しハンドル機構を機械的に定位または反位の状態に固定するための定反位鎖錠器であって、
前記回り止めロッドの下端には、手回しハンドルの軸の下端の嵌合部と同一形状の嵌合部が設けられ、
前記押えプレートには、前記回り止めロッドが挿通される挿通口が形成され、
前記回り止めロッドの頭部または前記押えプレートには、前記挿通口に挿通された前記回り止めロッドの回動を規制する回動規制手段が設けられていることを特徴とする電気転てつ機の定反位鎖錠器。
【請求項２】
電気転てつ機の前記筐体の上面の前記挿入穴の周囲には凹部が形成され、
前記押えプレートの下面には、前記筐体の上面の前記凹部の周縁部に密着可能な環状のシール材が設けられていることを特徴とする請求項１に記載の電気転てつ機の定反位鎖錠器。
【請求項３】
前記押えプレートの両端部には水平方向に延びる一対の支持片が設けられ、
前記一対の支持片にはそれぞれ長穴が形成され、
前記取り付け手段は、
電気転てつ機の前記筐体の基台に設けられた固定用ボルトに螺合可能な一対の長ナットと、前記長穴に挿通可能な一対のボルトとを備え、前記一対のボルトが前記一対の支持片の前記長穴に挿通されて、前記一対の長ナットの上部に螺合されること前記押えプレートを電気転てつ機の前記筐体に装着可能に構成されていることを特徴とする請求項１または２に記載の電気転てつ機の定反位鎖錠器。
【請求項４】
前記回動規制手段は、前記押えプレートの上面の前記挿通口の近傍に設けられた一部を切り欠いた円環状の回動範囲規制部と、前記回り止めロッドの頭部の外周に形成された前記回動範囲規制部の切欠き部に遊嵌可能な突起とによって構成されていることを特徴とする請求項１〜３のいずれかに記載の電気転てつ機の定反位鎖錠器。
【請求項５】
前記回動範囲規制部の内周部には上向きのリブおよび溝が周方向に沿って形成され、
前記回り止めロッドの頭部の外周部には前記リブに係合可能な溝および前記溝に係合可能な下向きのリブが周方向に沿って形成されていることを特徴とする請求項４に記載の電気転てつ機の定反位鎖錠器。
【請求項６】
上面に前記回り止めロッドの下端の嵌合部と同一形状の嵌合穴が設けられているとともに前記回り止めロッドの下端の嵌合部と同一形状の嵌合部が下端に設けられた手回し補助手段を備えていることを特徴とする請求項１〜５のいずれかに記載の電気転てつ機の定反位鎖錠器。
【請求項７】
前記電気転てつ機は、前記筐体の上面に前記挿入穴を閉塞するための開閉可能な手回しハンドル蓋を備えており、
前記押えプレートには、前記手回しハンドル蓋が開かれ前記回り止めロッドが前記手回しハンドルの挿入穴に挿入された状態で、開状態の前記手回しハンドル蓋の一部に当接して当該手回しハンドル蓋の動きを抑止する抑止手段が設けられていることを特徴とする請求項１〜６のいずれかに記載の電気転てつ機の定反位鎖錠器。
【発明の詳細な説明】
【技術分野】
【０００１】
本発明は、鉄道軌道に設けられている電気転てつ機の動作かん及び鎖錠かんを定位または反位の状態に機械的に固定するための定反位鎖錠器に関する。
【背景技術】
【０００２】
鉄道軌道の分岐点には、車両の進路を変えるための転てつ機を備えた分岐器が設置されている。転てつ機には、種々の形式のものがあるが、その一つに、トングレールを移動させる動作かんと分岐器の転換完了位置を照査する鎖錠かんを備えたＮＳ形電気転てつ機がある。
ＮＳ形電気転てつ機は、ロックピースと呼ばれる部品を備えており、このロックピースを鎖錠かんに設けられている凹部に係合させることで、分岐器の転換完了位置を照査すると共に鎖錠かんの移動を阻止するように構成されている。また、ＮＳ形電気転てつ機にはロック不良等の故障が発生した場合に、人手により動作かん及び鎖錠かんを定位または反位の状態に転換するための手回しハンドル機構が設けられている。
【０００３】
かかる電気転てつ機は、通常、軌道回路からの列車在線位置信号に基づいて信号機を制御する連動装置によって信号機と連動して制御される。
ところで、従来、上記連動装置においては、軌道回路、転てつ機または諸設備が故障した場合に、連動表に記載された場内・出発信号機、誘導信号機、または入換信号機、入換標識の進路では列車等を運転することができず、所定の着発番線に列車等を進入または進出させるために、進入または進出の進路を構成するには人手による進路開通操作、具体的にはクランクハンドルとハンドル軸を備えた手回しハンドルにより関連する転てつ機の定位または反位への転換操作を行う必要がある。
【０００４】
しかし、従来の手回しハンドル機構は列車が通過する際の振動等によってハンドル軸が回転してしまうおそれがあるため、鎖錠期間中は手回しハンドルが逆転することがないように、作業員が手で抑えていなければならなかった。
そこで、手回しハンドルの定位または反位の状態を機械的に固定するため、手回しハンドルのハンドル軸に、スリットを有する回り止め体を設けるとともに、転てつ機の筐体の対応する位置には上記スリットと係合可能な円板状の止め金を設け、スリットと止め金との係合により回り止め体およびハンドル軸の回転を抑制することで、作業員が手で手回しハンドルを抑えている必要のない手回しハンドル機構の鎖錠器に関する発明が提案されている（特許文献１参照）。
【先行技術文献】
【特許文献】
【０００５】
【特許文献１】特開２００８−６９８５号公報
【発明の概要】
【発明が解決しようとする課題】
【０００６】
しかしながら、特許文献１に記載されている発明は、ハンドル軸に対して合成樹脂製の円板状の止め金を嵌合させて摩擦抵抗の力で手回しハンドルの逆転を阻止するようにしているにすぎないので、長時間にわたって手回しハンドル機構の鎖錠を行うことは困難であるとともに、定位または反位の状態の確実性を担保するには、手回しハンドルが逆転していないか近くで作業員が監視していなければならないという問題点がある。
また、手回しハンドル機構のハンドル軸の挿入穴は通常開閉可能な蓋で塞がれており、手回しハンドル機構の鎖錠の際には、手回しハンドル蓋を開いてハンドル軸を挿入した状態にするため、降雨時には転てつ機の筐体内に雨水が侵入するおそれがあるという問題点がある。
【０００７】
本発明は上記のような問題点に着目してなされたもので、その目的とするところは、長時間にわたって手回しハンドル機構の鎖錠を確実に行うことができ、近くで作業員が監視している必要のない電気転てつ機の定反位鎖錠器を提供することにある。
本発明の他の目的は、手回しハンドルの軸挿入穴から筐体内に雨水が侵入するのを防止することができる電気転てつ機の定反位鎖錠器を提供することにある。
【課題を解決するための手段】
【０００８】
上記目的を達成するため、この発明は、
電気転てつ機の筐体の上面に設けられた手回しハンドルの挿入穴に挿入可能な回り止めロッドと、
前記回り止めロッドを保持した状態で前記筐体の上面に接合される押えプレートと、
前記押えプレートを前記筐体に取り付けるための取り付け手段と、を備え、電気転てつ機の筐体内部に設けられている手回しハンドル機構を機械的に定位または反位の状態に固定するための定反位鎖錠器であって、
前記回り止めロッドの下端には、手回しハンドルの軸の下端の嵌合部と同一形状の嵌合部が設けられ、
前記押えプレートには、前記回り止めロッドが挿通される挿通口が形成され、
前記回り止めロッドの頭部または前記押えプレートには、前記挿通口に挿通された前記回り止めロッドの回動を規制する回動規制手段が設けられているように構成したものである。
【０００９】
上記のような構成を有する定反位鎖錠器によれば、回り止めロッドを電気転てつ機の手回しハンドル機構の軸挿入穴に挿入した状態で、押えプレートを電気転てつ機の筐体上面に装着することによって、手回しハンドル機構の鎖錠を行うことができる。しかも、押えプレートの挿通口に挿通された回り止めロッドの回動を規制する回動規制手段が設けられているため、摩擦抵抗の力で手回しハンドルの逆転を阻止するものに比べて、長時間にわたって手回しハンドル機構の鎖錠を確実に行うことができるとともに、近くで作業員が監視している必要もない。
【００１０】
ここで、望ましくは、電気転てつ機の前記筐体の上面の前記挿入穴の周囲には凹部が形成され、
前記押えプレートの下面には、前記筐体の上面の前記凹部の周縁部に密着可能な環状のシール材が設けられているように構成する。
かかる構成によれば、押えプレートの下面に設けられたシール材によって、手回しハンドルの軸挿入穴がある凹部への雨水の侵入を防止できるため、手回しハンドルの軸挿入穴から電気転てつ機の筐体内に雨水の侵入を防止することができる。
【００１１】
また、望ましくは、前記押えプレートの両端部には水平方向に延びる一対の支持片が設けられ、
前記一対の支持片にはそれぞれ長穴が形成され、
前記取り付け手段は、
電気転てつ機の前記筐体の基台に設けられた固定用ボルトに螺合可能な一対の長ナットと、前記長穴に挿通可能な一対のボルトとを備え、前記一対のボルトが前記一対の支持片の前記長穴に挿通されて、前記一対の長ナットの上部に螺合されること前記押えプレートを電気転てつ機の前記筐体に装着可能に構成する。
【００１２】
上記のような構成によれば、ボルトとナットとの螺合によって定反位鎖錠器を電気転てつ機の筐体上面に装着する構成であるため、確実に定反位鎖錠器を装着できるとともに、もともと電気転てつ機の基台に設けられている固定用ボルトを利用して定反位鎖錠器を装着する構成であるため、電気転てつ機を何ら改修することなく定反位鎖錠器を装着することができるようになる。
【００１３】
また、望ましくは、前記回動規制手段は、前記押えプレートの上面の前記挿通口の近傍に設けられた一部を切り欠いた円環状の回動範囲規制部と、前記回り止めロッドの頭部の外周に形成された前記回動範囲規制部の切欠き部に遊嵌可能な突起とによって構成する。
かかる構成によれば、回動範囲規制部の切欠き部の大きさ（角度範囲）を適宜設定することで回り止めロッドの回動範囲を調整することができ、余裕を持たせた状態になるように切欠き部の大きさを設定することで、多少回り止めロッドの位置がずれていても押えプレートを被着することができるため、装着作業時間を短縮させることができるようになる。
【００１４】
さらに、前記押えプレートの両端部には、電気転てつ機の前記筐体の幅に対応する間隔をおいて鉛直方向下方へ向かう一対の折曲片を設け、前記一対の支持片は前記一対の折曲片に溶接にて固着されているように構成しても良い。
このように構成すれば、押えプレート両端の一対の折曲片を電気転てつ機の筐体の側面に接触させるようにして被着することで、装着時の押えプレートの位置決めが容易となり、短時間に装着作業を終了することができるようになる。
【００１５】
また、望ましくは、前記回動範囲規制部の内周部には上向きのリブおよび溝が周方向に沿って形成され、
前記回り止めロッドの頭部の外周部には前記リブに係合可能な溝および前記溝に係合可能な下向きのリブが周方向に沿って形成されているように構成する。
かかる構成によれば、回動範囲規制部と回り止めロッドの上部の隙間に入り込んだ雨水は、互いに係合する上記リブと溝との隙間を通って周方向へ移動して回動範囲規制部の切欠き端面から流出することで回動範囲規制部の内側へ入りにくくなり、雨水が回り止めロッドの軸表面を伝わって手回しハンドルの挿入穴に侵入するのを防止することができる。
【００１６】
さらに、望ましくは、上面に前記回り止めロッドの下端の嵌合部と同一形状の嵌合穴が設けられているとともに前記回り止めロッドの下端の嵌合部と同一形状の嵌合部が下端に設けられた手回し補助手段を備えるようにする。
かかる構成によれば、手回し補助手段の下端を手回しハンドルの挿入穴に挿入した後、手回し補助手段の上面の嵌合部に回り止めロッドの下端を挿入することによって、押えプレートの回転を手回し補助手段を介して転てつ機の内部の機構に伝達することができる。そのため、手回しハンドルを作業現場へ持ってくるのを忘れたとしても、押えプレートを手回しハンドルとして利用して転てつ機の内部の機構を回転させ、動作かんを定位または反位の方向へ移動させて転てつ機の転換、鎖錠作業を行うことができる。
【００１７】
また、望ましくは、前記電気転てつ機は、前記筐体の上面に前記挿入穴を閉塞するための開閉可能な手回しハンドル蓋を備えており、
前記押えプレートには、前記手回しハンドル蓋が開かれ前記回り止めロッドが前記手回しハンドルの挿入穴に挿入された状態で、開状態の前記手回しハンドル蓋の一部に当接して当該手回しハンドル蓋の動きを抑止する抑止手段が設けられているように構成する。
かかる構成によれば、列車が通過する際の振動等で手回しハンドル蓋が上下にガタついてヒンジが緩んだり、手回しハンドル蓋や転てつ機の筐体が損傷したりするのを防止することができる。
【発明の効果】
【００１８】
本発明に係る電気転てつ機の定反位鎖錠器によれば、長時間にわたって手回しハンドル機構の鎖錠を確実に行うことができ、近くで作業員が監視している必要のない。また、手回しハンドルの軸挿入穴から転てつ機の筐体内に雨水が侵入するのを防止することができる。さらに、手回しハンドルを作業現場へ持ってくるのを忘れたとしても、押えプレートを手回しハンドルとして利用して転てつ機の内部の機構を回転させ、動作かんを定位または反位の方向へ移動させて転てつ機の転換、鎖錠作業を行うことができるという効果がある。
【図面の簡単な説明】
【００１９】
【図１】本発明に係る定反位鎖錠器が適用される転てつ機の上蓋を外した状態を示す平面図である。
【図２】定反位鎖錠器の手回しハンドル機構部と手回しハンドルとの関係を示す斜視図である。
【図３】電気転てつ機および定反位鎖錠器の第１の実施形態（装着前）を示す斜視図である。
【図４】定反位鎖錠器を電気転てつ機に装着した状態を示す斜視図である。
【図５】（Ａ）は図２の定反位鎖錠器の回り止めロッド挿通部の詳細を示す断面正面図、（Ｂ）は回り止めロッドの下端の嵌合部の形状を示す底面図である。
【図６】本発明に係る定反位鎖錠器の第２の実施形態を示す斜視図である。
【図７】第２の実施形態の定反位鎖錠器における回動範囲規制部と回り止めロッドとの嵌合部の詳細な構造を示す断面図である。
【図８】本発明に係る定反位鎖錠器の第３の実施形態を示すもので、（Ａ）は定反位鎖錠器の正面図、（Ｂ）は定反位鎖錠器を構成する押えプレートの平面図、（Ｃ）は押えプレートの底面図である。
【図９】本発明に係る定反位鎖錠器の第４の実施形態を示す要部平面図である。
【図１０】第４の実施形態の定反位鎖錠器における手回し補助ロッドを示す斜視図である。
【図１１】第４の実施形態の定反位鎖錠器において押えプレートを手回しハンドルとして使用する様子を示す斜視図である。
【発明を実施するための形態】
【００２０】
以下、図面を参照しながら、本発明に係る電気転てつ機の定反位鎖錠器の一実施形態について詳細に説明するが、先ず実施形態の定反位鎖錠器が適用される電気転てつ機について簡単に説明する。図１は本実施形態に係る定反位鎖錠器の適用対象である電気転てつ機１００の筐体の上蓋を外した状態を示す平面図である。
電気転てつ機１００は、図１に示すように、鉄道線路の分岐器のトングレールを動かす動作かん１１１と、動作かん１１１を鎖錠するための鎖錠かん１１２と、外部ケーブルが導入されるケーブル導入部１０２、１０３とを備えている。
【００２１】
上記動作かん１１１および鎖錠かん１１２は筐体１０１を貫通するように配設され、一部（中央）が筐体１０１内に収容され、両端がそれぞれ筐体１０１の外側方へ突出されている。
また、筐体１０１の端部には動作かん１１１を駆動する電動機（モータ）１３０が設けられ、筐体１０１の内部には、電動機（モータ）１３０の動力を動作かん１１１へ伝達する動力伝達機構１０４と、外部ケーブルの配線が接続される配線端子盤１０７と、制御リレー１２１および回路制御器１２２を備えた電気回路部１２０が設けられている。
【００２２】
上記動力伝達機構１０４には、手回し安全器レバー１０５および接続ロッド１０６を備えクランク型の手回しハンドルによって回動されることで動作かん１１１を定位状態または反位状態にする手回しハンドル機構が設けられている。接続ロッド１０６の一端は手回し安全器レバー１０５に結合されている。そして、この手回しハンドル機構には、図２に示すような手回しハンドル１４０の軸１４１が挿入される挿入穴１０８が設けられている。なお、作業員が手回しハンドル１４０を扱っている最中にモータで転換してしまうと危険であるため、手回し安全器レバー１０５及び接続ロッド１０６は、転てつ機をモータで転換させるか、手回しで転換させるかを選択するスイッチの役割を有しており、手回し安全器を「モータ側」に扱った場合には挿入穴１０８を塞ぎ、手回しハンドル１４０が物理的に入らないようにされ、手回し安全器を「手回し側」に扱った場合には挿入穴１０４に手回しハンドル１４０が入る代わりに、モータの電源が遮断されるように構成されている。また、挿入穴１０８は転換歯車と一体になっており、手回しハンドルで回転させると、それに連動して歯車が回転し、転てつ機が転換することとなる。
【００２３】
また、手回しハンドル１４０の軸１４１の下端には、図５（Ｂ）に示すように、円の一部を９０°角度が異なる一対の平行線でカットしたほぼ矩形状の断面を有する嵌合部１４１ａが設けられているとともに、挿入穴１０８の奥部には、上記矩形状の嵌合部１４１ａが嵌合することが可能な嵌合穴が設けられている。なお、挿入穴１０８および嵌合部１４１ａの断面形状は矩形状でなく、小判形あるいは多角形をなすものであってもよい。
手回し安全器レバー１０５を動かして、手回しハンドル１４０の軸１４１を挿入穴１０８に挿入することができるようにしてから、挿入穴１０８に手回しハンドル１４０を挿入した後、握り部１４２を掴んで時計回りまたは反時計回りに回す。すると、挿入穴１０８に結合されている転換歯車が回転し、動作かん１１１を側方へ移動させることで、強制的に定位または反位の状態にさせることができるようになる。
【００２４】
上記制御リレー１２１は、ジャック板および複数の配線を介して上記配線端子盤１０７と接続されている。また、制御リレー１２１は、電力配線と端子台１０９を介して電動機１３０と電気的に接続され、電動機１３０を駆動制御する。
回路制御器１２２は、鎖錠かん１１２のロック機構に連動するように設けられた作動レバー１１０の一部が挿入され、該作動レバー１１０の位置に応じて複数の接点を切り替えて鎖錠かん１１２の位置を検出する。なお、作動レバー１１０は、鎖錠かん１１２のロック機構を構成する図示しないロックピースに連動して動作される。
【００２５】
次に、図３〜図５を用いて定反位鎖錠器の一実施形態について説明する。図３には、本実施形態の定反位鎖錠器１０を電気転てつ機１００に装着する前の状態が示されている。
図３に示すように、電気転てつ機１００の筐体１０１の上面には、手回しハンドル１４０の軸１４１が挿入される挿入穴１０８を閉塞可能な手回しハンドル蓋１２４がヒンジピン１１５によって開閉可能に装着されている。また、手回しハンドル１４０の軸１４１の挿入穴１０８の周囲には凹部１２６が形成され、図示しないが、この凹部１２６内に、前記回路制御器１２２による電動機１３０の駆動制御を禁止して手回しハンドルによる作業の安全性を保証するための安全スイッチの操作ボタンが設けられている。
【００２６】
さらに、上記手回しハンドル蓋１２４の開放側先端には一対の突起１２４ａが設けられているとともに、挿入穴１０８の上記ヒンジピン１１５と反対側の近傍にはＵ字状のアンカー１２９が設けられており、手回しハンドル蓋１２４を閉じる方向へ回動させると、先端の一対の突起１２４ａ間にアンカー１２９が係合し、そのアンカー１２９に南京錠のフックを挿入して施錠することで、権限のない者による手回しハンドル蓋１２４の開閉を防止できるように構成されている。
【００２７】
電気転てつ機１００の基台１２７の周縁部の４箇所には、当該転てつ機を枕木の延長部に固定するためのボルト１２８が固着されている。本実施形態は、転てつ機固定用の４本のボルト１２８のうち電動機側の２本を利用して、動作かん１１１の定位状態または反位状態を機械的に保持するための定反位鎖錠器１０を装着するというものである。
本実施形態の定反位鎖錠器１０は、２本の固定用ボルト１２８に螺合可能な２本の長ナット（高ナット）１１Ａ，１１Ｂと、これらの長ナット１１Ａ，１１Ｂの上端部側に螺合可能な２本のボルト１２Ａ，１２Ｂと、上記手回しハンドル１４０の軸１４１の挿入穴１０８および凹部１２６の上方を覆うようにして電気転てつ機の筐体１０１の上面に接合される板金製の横長の押えプレート１３と、この押えプレート１３の中央に形成された挿通口１３ｃに挿通された回り止めロッド１４とを備える。
【００２８】
上記押えプレート１３の左右両端には下方へ向かってほぼ直角に折曲された折曲片１３ａ，１３ｂが設けられ、これらの折曲片１３ａ，１３ｂの外側面には、Ｌ字形の支持片１５Ａ，１５Ｂが溶接等によって固着されている。
折曲片１３ａ，１３ｂの間隔は電気転てつ機の筐体１０１の横幅よりも僅かに広く設定されており、押えプレート１３を筐体１０１の上面に接合させた状態では、折曲片１３ａ，１３ｂは筐体１０１の側面にそれぞれ接触もしくはわずかな隙間をおいて対向するように構成されている。
【００２９】
また、支持片１５Ａ，１５Ｂの水平部には上記ボルト１２Ａ，１２Ｂを挿通可能な長穴１５ａ，１５ｂが形成されており、電気転てつ機側の前記固定用ボルト１２８に螺合した２本の長ナット１１Ａ，１１Ｂの上端に支持片１５Ａ，１５Ｂを乗せ、長穴１５ａ，１５ｂにボルト１２Ａ，１２Ｂを挿通し、長ナット１１Ａ，１１Ｂに螺合することによって、押えプレート１３が電気転てつ機の筐体１０１に装着される。
さらに、上記回り止めロッド１４の頭部外周面には、回動範囲を規制するための一対の突起１４ａ，１４ｂが設けられているとともに、押えプレート１３の中央の貫通口の近傍にはストッパピン１６が植設されている。これにより、図４に示すように、ストッパピン１６が突起１４ａと１４ｂとの間に位置するように押えプレート１３を筐体１０１の上面に接合させると、回り止めロッド１４が許容量（約４５度）以上の回動するのを阻止できるように構成されている。
【００３０】
さらに、回り止めロッド１４には、図５（Ａ）に示すように、頭部よりも少し下の位置に抜け止めリング１４ｃが設けられており、押えプレート１３を電気転てつ機の筐体１０１に装着した状態で、抜け止めリング１４ｃによって回り止めロッド１４が上方へ抜けてしまうのを防止することができるようになっている。
また、特に限定されるものでないが、押えプレート１３の下面には、電気転てつ機の筐体１０１の上面の凹部１２６よりも一回り大きな環状形状を有するゴム等の弾性材により形成されたパッキン（シール材）１７が固着されており、押えプレート１３を電気転てつ機の筐体１０１の上面に装着すると、このパッキン１７が筐体１０１の上面に密着して、凹部１２６内へ雨水が侵入するのを防止できるように構成されている。これにより、雨天下においても電気転てつ機に悪影響を与えることなく長時間にわたって定反位鎖錠器１０を使用することが可能となる。
【００３１】
ここで、上記のような構成を有する実施形態の定反位鎖錠器１０の使用方法について簡単に説明する。
定反位鎖錠器１０を用いて電気転てつ機１００を定位または反位に固定したい場合には、先ず、電気転てつ機の筐体１０１の上面にある手回しハンドル蓋１２４を開いて、手回しハンドル軸の挿入穴１０８を有する凹部１２６を開放し、この凹部１２６内にある安全スイッチをオフして、回路制御器１２２による電動機１３０の駆動制御を禁止する。次に、電気転てつ機側の固定用ボルト１２８に２本の長ナット１１Ａ，１１Ｂを螺合させた後、手回しハンドル１４０の軸１４１の下端を挿入穴１０８に挿入して、定位または反位にしたい方向へ手回しハンドル１４０を回す。なお、長ナット１１Ａ，１１Ｂの螺合は、手回しハンドル１４０による定位または反位への転換後であっても良い。
【００３２】
電気転てつ機１００の動作かん１１１および鎖錠かん１１２を手回しハンドル１４０で定位または反位の位置に転換させたならば、手回しハンドル１４０の軸１４１を引き抜き、定反位鎖錠器１０の押えプレート１３を、電気転てつ機の筐体１０１の上方より回り止めロッド１４の下端の嵌合部１４ｄを挿入穴１０８に挿入させながら、筐体１０１の上面に押えプレート１３を被せる。また、このとき、回り止めロッド１４の頭部の一対の突起１４ａ，１４ｂの間にストッパピン１６が位置するように、回り止めロッド１４の角度を調整する。なお、突起１４ａと１４ｂの間隔に予め余裕を持たせておくことによって、回り止めロッド１４の角度調整の作業を容易に実施することができるようにすることが可能となる。
その後、長ナット１１Ａ，１１Ｂの上端に押えプレート１３の両側の支持片１５Ａ，１５Ｂを乗せ、長穴１５ａ，１５ｂにボルト１２Ａ，１２Ｂを挿通し、長ナット１１Ａ，１１Ｂに螺合することによって、押えプレート１３の電気転てつ機の筐体１０１への装着が完了する。なお、回り止めロッド１４の下端の嵌合部１４ｄは、手回しハンドルの軸の下端の嵌合部１４１ａと同一の断面形状（小判形）を有する。
【００３３】
図６には、本発明に係る定反位鎖錠器の第２の実施形態が示されている。
この実施形態の定反位鎖錠器は、図４に示す第１実施形態の定反位鎖錠器において、押えプレート１３の両端を下方へ折曲して形成した折曲片１３ａ，１３ｂを設ける代わりに、水平方向へそのまま延長させて電気転てつ機１００の筐体側方へ突出する支持片１５Ａ，１５Ｂを形成し、その支持片１５Ａ，１５Ｂにボルト１２Ａ，１２Ｂを挿通可能な長穴１５ａ，１５ｂを形成したもので、電気転てつ機１００の筐体への取り付け方は第１実施形態の定反位鎖錠器と同じである。
【００３４】
従って、本実施形態においては、第１実施形態の定反位鎖錠器における支持片１５Ａ，１５Ｂは不要であり、折曲片１３ａ，１３ｂを形成する折り曲げ加工や支持片１５Ａ，１５Ｂを折曲片１３ａ，１３ｂに固着する溶接が不要となり、第１実施形態のものに比べて製造コストを低減できるという利点がある。
さらに、本実施形態では、回動範囲を規制する突起１４ａ，１４ｂの代わりに、押えプレート１３の上面の挿通口１３ｃを囲むように、一部を切り欠いた円環状（上面視Ｃ字状）の回動範囲規制部１３ｄを形成するとともに、押えプレート１３の上面のストッパピン１６の代わりに、回り止めロッド１４の頭部側面に、回動範囲規制部１３ｄの切欠き部に遊嵌可能な突起１４ｅを設けてある。ただし、回動範囲を規制する構成は、第１実施形態の定反位鎖錠器と同じであっても良い。
【００３５】
さらに、回動範囲規制部１３ｄおよび回り止めロッド１４には、図７に示すように、円環状の回動範囲規制部１３ｄの内周面下部に上向きのリブ３３ａと溝３３ｂからなる係合部３３が周方向に沿って形成されているとともに、回り止めロッド１４の頭部の外縁部下面には下向きのリブ４４ａと溝４４ｂからなる係合部４４が周方向に沿って形成されている。そして、回動範囲規制部１３ｄの溝３３ｂに回り止めロッド１４のリブ４４ａが係合し、回動範囲規制部１３ｄのリブ３３ａが回り止めロッド１４の溝４４ｂが係合することで、回動範囲規制部１３ｄと回り止めロッド１４との間に断面がＳ字状に蛇行する隙間が形成されるように構成されている。
【００３６】
回り止めロッド１４の頭部の外径は、回り止めロッド１４を回動させることができるようにするため、回動範囲規制部１３ｄの内径よりも若干小さく設計される。そのため、上記のような係合部３３,４４がなく、単に回動範囲規制部１３ｄの円形の開口部に回り止めロッド１４の円柱状の頭部が嵌合しているだけの構造の場合には、回動範囲規制部１３ｄと回り止めロッド１４の上部の隙間から進入した雨水は両者の隙間を真っ直ぐ下へ流れて、押えプレート１３に形成されている回り止めロッド１４の挿通用開口を通って押えプレート１３の下方の手回しハンドルの挿入穴へ入り込んでしまうおそれがある。
【００３７】
これに対し、上記のようにＳ字状に蛇行する隙間を有する係合部３３,４４が回動範囲規制部１３ｄと回り止めロッド１４に形成されていると、回動範囲規制部１３ｄと回り止めロッド１４の上部の隙間から進入した雨水は回り止めロッド１４の軸側へ流れにくくなり、Ｓ字状の隙間を周方向に沿って流れ、上面視Ｃ字状の回動範囲規制部１３ｄの切欠き部の端面から押えプレート１３の上面へ流れ落ち、手回しハンドルの挿入穴に入り込むおそれが少なくなる。
なお、上記係合部３３および４４は、回動範囲規制部１３ｄと回り止めロッド１４の頭部の下部に限定されず、上部に設けられていても良い。
【００３８】
次に、定反位鎖錠器１０の第３の実施形態を、図８を用いて説明する。上記第１実施形態の定反位鎖錠器は、押えプレート１３の両端の折曲片１３ａ，１３ｂに支持片１５Ａ，１５Ｂを溶接によって固着した構成であるため、定反位鎖錠器の製造コストが高くなるという課題がある。
図８に示す第３実施形態の定反位鎖錠器１０においては、押えプレート１３の形状を工夫することによって、折り曲げ加工で押えプレート１３を形成することができ、それによって溶接作業を不要とし、製造コストを下げるようにしたものである。
【００３９】
具体的には、押えプレート１３の両端を第１実施形態のものよりも長くして、折曲片１３ａ，１３ｂの下端を水平方向外側へ折曲し、さらに上方へ折曲した後、水平方向内側へ折曲して、箱状に形成している。そして、上側水平折曲片部３１Ａ，３１Ｂに、上記第１実施形態の押えプレート１３における長穴１５ａ，１５ｂに相当する長穴３１ａ，３１ｂが形成されているとともに、下側水平折曲片部３２Ａ，３２Ｂに、長ナット１１Ａ，１１Ｂを挿通可能な長穴３２ａ，３２ｂが形成されており、上記上側水平折曲片部３１Ａ，３１Ｂが支持片として機能する。
押えプレート１３の両端を図８に示すような形状にすることで、折り曲げ加工で押えプレート１３を形成することができ、溶接作業を不要とすることができるという利点がある。
【００４０】
次に、本発明に係る定反位鎖錠器１０の第４の実施形態を、図９〜図１１を用いて説明する。
図９には、第４実施形態の定反位鎖錠器の要部を上方から見た平面図が示されている。
この実施形態の定反位鎖錠器においては、押えプレート１３の中央の一方の側部に後方（図では上方）へ向けて突出する係合用プレート１８Ａが設けられているとともに、他方の側部に前方（図では下方）へ向けて突出する抑止プレート１８Ｂが設けられている。
【００４１】
このうち係合用プレート１８Ａには長穴１８ａが形成されており、押えプレート１３を転てつ機に装着した際に、長穴１８ａが転てつ機の筐体１０１の上面に設けられている前記アンカー１２９に係合し、長穴１８ａより突出したアンカー１２９に南京錠１３１のフック１３１ａを挿入して施錠することで、押えプレート１３の取り外しを防止することができる。
一方、抑止プレート１８Ｂは、その先端部が、解放状態の手回しハンドル蓋１２４の一部に当接することで、列車が通過する際の振動等で手回しハンドル蓋１２４が上下にガタついてヒンジが緩んだりハンドル蓋や転てつ機の筐体が損傷したりするのを防止することができるようになっている。
【００４２】
また、本実施形態の定反位鎖錠器においては、上面と下面に「左開通」、「右開通」なる文字がそれぞれ表記されたプラスチック製の開通方向表示板１９が押えプレート１３に装着されており、回り止めロッド１４によって設定した鎖錠方向を表示可能に構成されている。この開通方向表示板１９は、押えプレート１３の断面形状よりも若干大きな形状の貫通孔が形成されており、この貫通孔に押えプレート１３を挿入してから、この押えプレート１３を、図４に示すように、固定用ボルト１２Ａ，１２Ｂおよび長ナット１１Ａ，１１Ｂによって転てつ機の基台１２７に固定することで装着されるもので、「開通」の文字が表記されたいずれかの面を上向きにして押えプレート１３に装着することによって、開通方向を表示すなわち転てつ機が定位または反位のいずれの側に転換されているのかを報知させることができるようになっている。
【００４３】
さらに、本実施形態の定反位鎖錠器においては、アダプターのような機能を有する図１０（Ａ），（Ｂ）に示すような手回し補助ロッド２０が設けられている。図１０（Ａ），（Ｂ）は、同一の手回し補助ロッド２０を異なる方向から見た状態を示す。
この手回し補助ロッド２０は、図１０（Ｂ）に示すように、上端面に回り止めロッド１４の下端部を挿入可能な嵌合穴２０ａが形成されているとともに、下端部２０ｂは回り止めロッド１４の下端部と同一の形状をなすように構成されている。
【００４４】
そして、回り止めロッド１４に代えて手回し補助ロッド２０の下端部を、転てつ機の手回しハンドルの挿入穴１０８へ嵌合させることができるとともに、手回し補助ロッド２０の上端面の嵌合穴２０ａに回り止めロッド１４の下端部を挿入することができるようになっている。
これにより、押えプレート１３と回り止めロッド１４を、図１１に示すように、手回しハンドルの代替工具として使用して内部の機構を回転させ、動作かん１１１（図１参照）を定位または反位の方向へ移動させることができる。そのため、手回しハンドルを現場へ持ってくるのを忘れたとしても、転てつ機の転換、鎖錠作業を行うことができる。
【００４５】
また、押えプレート１３の両縁部には、長手方向に沿って高さ数ｍｍの上向きの補強用リブ１３ｅがそれぞれ形成されている。これにより、押えプレート１３の曲げ剛性を高め、押えプレート１３に回り止めロッド１４を回転させる方向の力を加えても、容易に変形しないようにすることができる。なお、補強用リブ１３ｅの向きは下向きであっても良い。
また、図１１に示すように、押えプレート１３の上面に逆Ω状の受け金具３５を設け、この受け金具３５に、図１０に示す手回し補助ロッド２０が係合可能に構成しても良い。
【００４６】
上記のように、手回し補助ロッド２０を保持可能な受け金具３５を設けておくことによって、押えプレート１３と手回し補助ロッド２０を一体にした状態で持ち運ぶことができ、手回し補助ロッド２０を作業現場へ持ってくるのを忘れてしまうのを防止することができる。なお、図１１には、押えプレート１３の上面に逆Ω状の受け金具３５を設けたものが示されているが、押えプレート１３の上面でなく側面を設けても良い。あるいは、長ナット１１Ａまたは１１Ｂに受け金具３５を設けても良い。
【００４７】
以上、本発明の実施形態について説明したが、本発明は上記実施形態に限られるものではない。例えば、上記実施形態では、押えプレート１３の下面にパッキン（シール材）１７を設けているが、パッキン１７は省略しても良い。さらに、上記第１実施形態（図５）では、回り止めロッド１４の頭部の外周に一対の突起１４ａ，１４ｂを設け、押えプレート１３の上面にストッパピン１６を設けているが、逆の関係となるようにすなわち回り止めロッド１４の頭部の外周に一つの突起を設け、押えプレート１３の上面に一対のストッパピンを設けるようにしても良い。
また、押えプレート１３の転てつ機の筐体への取り付け手段は、長ナット１１Ａ，１１Ｂとボルト１２Ａ，１２Ｂに限定されず、ベルトのようなものを使用して取り付けるように構成しても良い。
【符号の説明】
【００４８】
１０    定反位鎖錠器
１１Ａ，１１Ｂ  長ナット
１２Ａ，１２Ｂ  固定用ボルト
１３    押えプレート
１３ａ，１３ｂ  折曲片
１３ｃ  挿通口
１３ｄ  回動範囲規制部
１３ｅ  補強用リブ
１４    回り止めロッド
１４ａ，１４ｂ  回動範囲を規制する突起
１４ｃ  抜け止めリング
１４ｄ  嵌合部
１４ｅ  回動範囲規制用の突起
１５Ａ，１５Ｂ  支持片
１５ａ，１５ｂ  長穴
１６    ストッパピン
１７    パッキン(シール材)
１８Ａ  係合用プレート
１８ａ  長穴
１８Ｂ  抑止プレート
１９    開通方向表示板
２０    手回し補助ロッド(手回し補助手段)
３１Ａ，３１Ｂ  上側水平折曲片部
３１ａ，３１ｂ  長穴
３２Ａ，３２Ｂ  下側水平折曲片部
３２ａ，３２ｂ  長穴
３３，４４  係合部
３３ａ，４４ａ  リブ
３３ｂ，４４ｂ  溝
３５    受け金具
１００  電気転てつ機
１０１  筐体
１０４  動力伝達機構
１０５  手回し安全器レバー
１０６  接続ロッド
１０８  手回しハンドルの挿入穴
１１０  作動レバー
１１１  動作かん
１１２  鎖錠かん
１２０  転てつ機の電気回路部
１２４  手回しハンドル蓋
１２４ａ  突起
１２６  凹部
１２７  転てつ機の基台
１２８  固定用ボルト
１２９  アンカー
１３０  電動機
１３１  南京錠
１３１ａ  フック
１４０  手回しハンドル
１４１  ハンドル軸
【図１】
2020117214.tif 000003
【図２】
2020117214.tif 000004
【図３】
2020117214.tif 000005
【図４】
2020117214.tif 000006
【図５】
2020117214.tif 000007
【図６】
2020117214.tif 000008
【図７】
2020117214.tif 000009
【図８】
2020117214.tif 000010
【図９】
2020117214.tif 000011
【図１０】
2020117214.tif 000012
【図１１】
2020117214.tif 000013